(57)【要約】【解決手段】カッター取付具１は、カッター２の挿嵌部６が挿脱可能に嵌め込まれる支持筒１１と、支持筒１１に対しロック位置とロック解除位置Ｑとに回動可能に支持したロック操作体１３と、支持筒１１に支持した複数の可動ロック球１９とを備えている。可動ロック球１９は、ロック操作体１３のロック位置におけるロック状態と、ロック操作体１３のロック解除位置Ｑにおけるロック解除状態ＳＱとを取り得る。カッター２の回転中心線２ａに対する偏心位置で支持筒１１には一つのストッパ軸２４を移動可能に設けている。ストッパ軸２４は、一つの可動ロック球１９をロック解除状態ＳＱに保持するストッパ状態ＤＱと、一つの可動ロック球１９から退避するストッパ解除状態とを取る。【効果】カッター取付具１において、可動ロック球１９に対するストッパ軸２４のがたつきを生じにくくするとともに、ストッパ軸２４に関連する部品をコンパクトにする。【選択図】図１
2008100328.tif 000002
【特許請求の範囲】
【請求項１】
カッターの挿嵌部が挿脱可能に嵌め込まれる支持孔を有する支持筒と、この支持筒に対しロック位置とロック解除位置とに移動可能に支持したロック操作体と、カッターの挿嵌部の外周面の挿脱軌跡面に面する支持筒の支持孔の内周面で支持筒に支持した可動ロック体とを備え、この可動ロック体は、ロック操作体のロック位置で前記外周面の挿脱軌跡面の内側へ入り込むロック状態と、ロック操作体のロック解除位置で前記外周面の挿脱軌跡面の外側へ逃げ得るロック解除状態とを取り得るようにしたカッター取付具において、
前記カッターの回転中心線に対する偏心位置で支持筒にはストッパ軸を移動可能に設け、このストッパ軸は、前記可動ロック体をロック解除状態に保持するストッパ状態と、その可動ロック体から退避するストッパ解除状態とを取る
ことを特徴とするカッター取付具。
【請求項２】
前記可動ロック体は前記カッターの回転中心線に対する周方向へ複数並設され、前記ストッパ軸は各可動ロック体のうち一部の可動ロック体をロック解除状態に保持することを特徴とする請求項１に記載のカッター取付具。
【請求項３】
前記ストッパ軸は、ストッパばねにより付勢され、そのストッパばねの弾性力により移動して前記ストッパ状態となり、そのストッパ状態で前記カッターの挿嵌部によりストッパばねの弾性力に抗して押されて前記ストッパ解除状態となることを特徴とする請求項１または請求項２に記載のカッター取付具。
【請求項４】
前記ロック操作体は、ロックばねにより付勢され、そのロックばねの弾性力により回動して前記ロック位置となり、そのロックばねの弾性力に抗して回動して前記ロック解除位置となることを特徴とする請求項１または請求項２または請求項３に記載のカッター取付具。
【請求項５】
カッターに設けた挿嵌部がこのカッターの回転中心線方向へ挿脱可能に嵌め込まれる支持孔を有し、その挿嵌部の外周面がこの支持孔の内周面に対し嵌合する支持筒と、
この支持筒の外周に対しこのカッターの回転中心線方向を中心に回動可能に嵌め込まれる案内孔を有し、この支持筒の外周面がこの案内孔の内周面に面するロック操作筒と、
この支持筒に対し支持孔の外周でこのロック操作筒の回動方向へ並設した複数の収容孔を有し、この各収容孔に可動ロック体を嵌め込んで支持筒の内外周面間で移動可能に支持したロック機構部とを備え、
前記ロック操作筒の案内孔の内周面には、前記支持筒の外周面から突出した可動ロック体が係入される退避凹部と、その突出を規制する退避規制面とをロック操作筒の回動方向へ交互に並設し、
このロック操作筒がロックばねの弾性力により回動したロック位置では、このロック操作筒の退避規制面に当接した可動ロック体が支持筒の内周面から突出して、支持筒の支持孔に挿嵌されたカッターの挿嵌部の外周面でロック操作筒の回動方向へ並設した複数のロック凹部に係入され、
このロック操作筒をロックばねの弾性力に抗して回動させて支持筒の支持孔からカッターの挿嵌部を離脱させたロック解除位置では、支持筒の外周面から突出した可動ロック体がロック操作筒の退避凹部に係入され、
前記カッターの回転中心線に対する偏心位置で支持筒に設けたストッパ孔にはストッパばねにより付勢されたストッパ軸を移動可能に挿嵌し、このストッパ軸は、ストッパばねの弾性力により移動して前記各可動ロック体のうち一部の可動ロック体をロック解除状態に保持するストッパ状態と、そのストッパ状態で前記カッターの挿嵌部によりストッパばねの弾性力に抗して押されて前記各可動ロック体のうち一部の可動ロック体から退避するストッパ解除状態とを取る
ことを特徴とするカッター取付具。
【発明の詳細な説明】
【技術分野】
【０００１】
本発明は、穿孔カッターなどの各種カッター、特に穿孔カッターのシャンクを支持するためのカッター取付具に関するものである。
【背景技術】
【０００２】
一般に、この種のカッター取付具においては、カッターの挿嵌部が挿脱可能に嵌め込まれる支持筒と、この支持筒の外周に対し回動可能に挿嵌されてロック位置とロック解除位置とを取り得るロック操作筒と、この支持筒に対し周方向へ並設した複数の可動ロック球とを備えている。このカッターの挿嵌部には複数のロック凹部が周方向へ並設されている。この可動ロック球は、ロック操作筒のロック位置で前記挿嵌部の各ロック凹部に係入されるロック状態と、ロック操作筒のロック解除位置でこの挿嵌部の各ロック凹部から離脱するロック解除状態とを取り得る。例えば、下記特許文献１では、圧縮コイルばねである環状ストッパが支持筒の内側に嵌め込まれている。この環状ストッパは、その弾性力により移動して前記各可動ロック球をロック解除状態に保持するストッパ状態と、そのストッパ状態で前記カッターの挿嵌部により弾性力に抗して押されて各可動ロック球から退避するストッパ解除状態とを取る。なお、下記特許文献１以外に、この種の環状ストッパとしては、圧縮コイルばねにより付勢された環体が支持筒の内側に嵌め込まれたものも知られている。
【特許文献１】特許第３６０９０５４号公報
【発明の開示】
【発明が解決しようとする課題】
【０００３】
上記特許文献１では、圧縮コイルばねであるストッパがカッターの回転中心線に対する周方向全体で支持筒の内周に沿って環状に配置され、一つのストッパが各可動ロック球をロック解除状態で同時に保持するため、このストッパに対する各可動ロック球のがたつきをなくすように各可動ロック球間に挿嵌するストッパの取付精度を高める必要が生じてコストが上がるおそれがある。また、支持筒の内側で占めるストッパの容積が大きくなり、ストッパに関連する部品のコンパクト性に欠けてコストが上がるおそれがある。
【０００４】
この発明は、カッター取付具において可動ロック体に対するストッパ軸のがたつきを生じにくくすることを目的としている。また、この発明は、カッター取付具においてストッパに関連する部品をコンパクトにすることを目的としている。
【課題を解決するための手段】
【０００５】
後記実施形態の図面（図１〜５）の符号を援用して本発明を説明する。
請求項１の発明にかかるカッター取付具は、下記のように構成されている。
このカッター取付具１は、カッター２の挿嵌部６が挿脱可能に嵌め込まれる支持孔１４を有する支持筒１１と、この支持筒１１に対しロック位置Ｐとロック解除位置Ｑとに移動可能に支持したロック操作体１３と、カッター２の挿嵌部６の外周面８の挿脱軌跡面に面する支持筒１１の支持孔１４の内周面１２ｂで支持筒１１に支持した可動ロック体１９とを備えている。この可動ロック体１９は、ロック操作体１３のロック位置Ｐで前記外周面８の挿脱軌跡面の内側へ入り込むロック状態ＲＰと、ロック操作体１３のロック解除位置Ｑで前記外周面８の挿脱軌跡面の外側へ逃げ得るロック解除状態ＳＱとを取り得る。前記カッター２の回転中心線２ａに対する偏心位置で支持筒１１にはストッパ軸２４を例えばその回転中心線２ａに沿って移動可能に設けている。このストッパ軸２４は、前記可動ロック体１９をロック解除状態ＳＱに保持するストッパ状態ＤＱと、その可動ロック体１９から退避するストッパ解除状態ＵＰとを取る。例えば、前記可動ロック体１９が前記カッター２の回転中心線２ａに対する周方向へ複数並設されている場合、各可動ロック体１９のうち一部の可動ロック体１９または全部の可動ロック体１９について、一つのストッパ軸２４が一つの可動ロック球１９をロック解除状態ＳＱに保持する。
【０００６】
請求項１の発明を前提とする請求項２の発明において、前記可動ロック体１９は前記カッター２の回転中心線２ａに対する周方向へ複数並設され、前記ストッパ軸２４は各可動ロック体１９のうち一部の可動ロック体１９例えば一つの可動ロック体１９をロック解除状態ＳＱに保持する。その際、一つのストッパ軸２４が一つの可動ロック球１９をロック解除状態ＳＱに保持する。
【０００７】
請求項１または請求項２の発明を前提とする請求項３の発明において、前記ストッパ軸２４は、ストッパばね２３により付勢され、そのストッパばね２３の弾性力により移動して前記ストッパ状態ＤＱとなり、そのストッパ状態ＤＱで前記カッター２の挿嵌部６によりストッパばね２３の弾性力に抗して押されて前記ストッパ解除状態ＵＰとなる。
【０００８】
請求項１または請求項２または請求項３の発明を前提とする請求項４の発明において、前記ロック操作体１３は、ロックばね１６により付勢され、そのロックばね１６の弾性力により回動して前記ロック位置Ｐとなり、そのロックばね１６の弾性力に抗して回動して前記ロック解除位置Ｑとなる。
【０００９】
請求項５の発明にかかるカッター取付具は、下記のように構成されている。
このカッター取付具１は下記の支持筒１１とロック操作筒１３とロック機構部１７とを備えている。この支持筒１１においては、カッター２に設けた挿嵌部６がこのカッター２の回転中心線２ａの方向へ挿脱可能に嵌め込まれる支持孔１４を有し、その挿嵌部６の外周面８がこの支持孔１４の内周面１２ｂに対し嵌合する。このロック操作筒１３においては、この支持筒１１の外周に対しこのカッター２の回転中心線２ａの方向を中心に回動可能に嵌め込まれる案内孔１５を有し、この支持筒１１の外周面１２ａがこの案内孔１５の内周面１５ａに面する。このロック機構部１７においては、この支持筒１１に対し支持孔１４の外周でこのロック操作筒１３の回動方向Ｘへ並設した複数の収容孔１８を有し、この各収容孔１８に可動ロック体１９を嵌め込んで支持筒１１の内外周面１２ｂ，１２ａ間で移動可能に支持している。前記ロック操作筒１３の案内孔１５の内周面１５ａには、前記支持筒１１の外周面１２ａから突出した可動ロック体１９が係入される退避凹部２０と、その突出を規制する退避規制面２１とをロック操作筒１３の回動方向Ｘへ交互に並設している。このロック操作筒１３がロックばね１６の弾性力により回動したロック位置Ｐでは、このロック操作筒１３の退避規制面２１に当接した可動ロック体１９が支持筒１１の内周面１２ｂから突出して、支持筒１１の支持孔１４に挿嵌されたカッター２の挿嵌部６の外周面８でロック操作筒１３の回動方向Ｘへ並設した複数のロック凹部９に係入される。このロック操作筒１３をロックばね１６の弾性力に抗して回動させて支持筒１１の支持孔１４からカッター２の挿嵌部６を離脱させたロック解除位置Ｑでは、支持筒１１の外周面１２ａから突出した可動ロック体１９がロック操作筒１３の退避凹部２０に係入される。前記カッター２の回転中心線２ａに対する偏心位置で支持筒１１に設けたストッパ孔２２にはストッパばね２３により付勢されたストッパ軸２４を例えばその回転中心線２ａに沿って移動可能に挿嵌している。このストッパ軸２４は、ストッパばね２３の弾性力により移動して前記各可動ロック体１９のうち一部の可動ロック体１９例えば一つの可動ロック体１９をロック解除状態ＳＱに保持するストッパ状態ＤＱと、そのストッパ状態ＤＱで前記カッター２の挿嵌部６によりストッパばね２３の弾性力に抗して押されて前記各可動ロック体１９のうち一部の可動ロック体１９例えば一つの可動ロック体１９から退避するストッパ解除状態ＵＰとを取る。
【発明の効果】
【００１０】
請求項１〜５の発明は、カッター取付具１において可動ロック体１９に対するストッパ軸２４のがたつきを生じにくくすることができる。また、請求項１〜５の発明は、カッター取付具１においてストッパ軸２４に関連する部品をコンパクトにすることができる。請求項３，５の発明は、カッター取付具１に対しカッター２を容易に取り付けることができる。請求項４，５の発明は、カッター取付具１に対しカッター２を容易に取り外すことができる。
【発明を実施するための最良の形態】
【００１１】
以下、本発明の一実施形態にかかるカッター取付具について図面を参照して説明する。
図１に示すように、カッター取付具１に取り付けられるカッター２においては、シャンク３の下半部に形成された連結部４に穿孔刃筒５が螺着され、シャンク３の上半部に形成された挿嵌部６がこの穿孔刃筒５の上側に並設されている。このシャンク３の挿嵌部６及び連結部４には回転中心線２ａ上で中心孔７が貫設されている。この挿嵌部６の外周面８（挿脱軌跡面）は回転中心線２ａを中心とする円形状をなし、この外周面８には複数（３個）のロック凹部９が回転中心線２ａに対する周方向へ等間隔で配置されて形成されている。なお、カッター２の挿嵌部とは、前記シャンク３自体を意味する以外に、図示しないが、このシャンク３を挿嵌したスリーブやソケットも含むシャンクを意味する。
【００１２】
図１，２に示すように、前記カッター取付具１においては、図示しない工作機械等に対し着脱自在に支持されるシャンク１０が支持筒１１の上側に一体的に形成され、この支持筒１１の下半部に形成された口筒部１２の外周にロック操作体としてのロック操作筒１３がカッター２の回転中心線２ａを中心に回動方向Ｘへ回動可能に挿嵌されている。この口筒部１２には支持孔１４が形成されて下側へ開放されている。このロック操作筒１３の内側に形成された案内孔１５の内周面１５ａはこの口筒部１２の外周面１２ａに面している。このロック操作筒１３の内側でこの口筒部１２の外周にはロックばね１６（ねじりコイルばね）が巻装され、このロックばね１６の一端部１６ａが支持筒１１の上半部に引掛けられているとともに、このロックばね１６の他端部１６ｂがロック操作筒１３に引掛けられている。このロック操作筒１３は、図３，４に示すように回動方向Ｘの両側のうち一方のロック向きＸＰへこのロックばね１６の弾性力により回動するロック位置Ｐと、図１，２，５に示すように回動方向Ｘの両側のうち他方のロック解除向きＸＱへこのロックばね１６の弾性力に抗して回動するロック解除位置Ｑとを取る。
【００１３】
図２，３，５に示すように、前記カッター取付具１においては、前記口筒部１２とロック操作筒１３との間で複数（３個）のロック機構部１７がカッター２の回転中心線２ａに対する周方向へ等間隔で配置されている。この各ロック機構部１７においては、支持孔１４の外周で口筒部１２に収容孔１８がロック操作筒１３の回動方向Ｘへ並設されて口筒部１２の外周面１２ａに対し外側開口１８ａで開放されているとともに口筒部１２の内周面１２ｂに対し内側開口１８ｂで開放され、この各収容孔１８に可動ロック体としての可動ロック球１９が嵌め込まれてこの内外両開口１８ａ，１８ｂ間で移動可能に支持されている。また、ロック操作筒１３の案内孔１５の内周面１５ａには複数（３個）の退避凹部２０がカッター２の回転中心線２ａに対する周方向へ等間隔で配置され、この各退避凹部２０とそれらの間の退避規制面２１とがロック操作筒１３の回動方向Ｘへ交互に並設されている。
【００１４】
前記カッター取付具１においては、カッター２の回転中心線２ａに対する偏心位置で支持筒１１の上半部にストッパ孔２２がその回転中心線２ａに沿って延設されて下側で支持孔１４に開放され、このストッパ孔２２にはストッパばね２３（圧縮コイルばね）により付勢されたストッパ軸２４がこの回転中心線２ａに沿って移動可能に挿嵌されている。このストッパ軸２４の外周に案内溝２５がこの回転中心線２ａに沿って延設され、支持筒１１の上半部で止めねじ２６により支えられた案内球２７がこのストッパ孔２２に露出してこの案内溝２５に係入されている。このストッパ軸２４は、図１，２に示すようにストッパばね２３の弾性力によりストッパ孔２２から支持孔１４へ突出して前記各ロック機構部１７のうちの一つに面するストッパ状態ＤＱと、図３，４，５に示すようにストッパばね２３の弾性力に抗して支持孔１４からストッパ孔２２に没入するストッパ解除状態ＵＰとを取る。
【００１５】
なお、図１，４に示す芯出しドリル２８においては、シャンク２８ａが口筒部１２の下側から支持孔１４を通して支持筒１１の上半部に挿着されて止めねじ２９により固定され、切刃部２８ｂが口筒部１２の下方へ突出している。
【００１６】
さて、図１に示すようにカッター取付具１からカッター２を取り外した分解状態で、そのカッター取付具１においては、ロック操作筒１３が前記ロック解除位置Ｑにあり、ストッパ軸２４が前記ストッパ状態ＤＱにある。この分解状態では、図２に示すように、各ロック機構部１７において可動ロック球１９が口筒部１２の外周面１２ａから突出してロック操作筒１３の退避凹部２０に係入可能となる。また、各ロック機構部１７のうち一つのロック機構部１７においては、ストッパ軸２４が可動ロック球１９に面し、この可動ロック球１９が退避凹部２０とストッパ軸２４との間に挟まれたロック解除状態ＳＱとなる。このロック解除状態ＳＱでは、可動ロック球１９が口筒部１２の内周面１２ｂから支持孔１４側へ突出するのを阻止することができる。このロック解除状態ＳＱでストッパ軸２４に面していない可動ロック球１９は、収容孔１８内で自由に動き得る。
【００１７】
図２に示すように、前記分解状態で芯出しドリル２８の切刃部２８ｂ及びシャンク２８ａをこのカッター２の挿嵌部６の中心孔７に挿通するとともに、この挿嵌部６を口筒部１２の支持孔１４に挿入してストッパ軸２４に押し当てる。さらに、この挿嵌部６の外周面８をこの支持孔１４の内周面１２ｂに嵌合させると、図３，４に示すように、ストッパ軸２４がストッパばね２３の弾性力に抗して押し上げられて前記ストッパ状態ＤＱから前記ストッパ解除状態ＵＰとなり、ロック操作筒１３が前記ロック解除位置Ｑからロック向きＸＰへ回動して前記ロック位置Ｐとなる。その際、各ロック機構部１７において、可動ロック球１９は、ロック操作筒１３の退避規制面２１に押されて口筒部１２の内周面１２ｂから支持孔１４側へ突出し、挿嵌部６のロック凹部９に係入されたロック状態ＲＰとなる。
【００１８】
図５に示すように、前記ロック状態ＲＰでロック操作筒１３を前記ロック位置Ｐからロックばね１６の弾性力に抗してロック解除向きＸＱへ回動させて前記ロック解除位置Ｑにすると、各ロック機構部１７において可動ロック球１９はロック操作筒１３の退避凹部２０に係入可能となるために収容孔１８内で自由に動き得る。その直後、カッター２の挿嵌部６がストッパばね２３の弾性力によりストッパ軸２４を介して押し下げられると、各ロック機構部１７において可動ロック球１９が挿嵌部６のロック凹部９から離脱して挿嵌部６が口筒部１２の支持孔１４から抜け、ストッパ軸２４が前記ストッパ状態ＤＱに戻るとともに、各可動ロック球１９が前記ロック解除状態ＳＱに戻る。
【００１９】
本実施形態は下記の効果を有する。
＊  カッター２の回転中心線２ａに対する偏心位置で支持筒１１にストッパ軸２４を移動可能に設け、一つのストッパ軸２４が一つの可動ロック球１９をロック解除状態ＳＱに保持するので、ストッパ軸２４に対する可動ロック球１９のがたつきを生じにくくすることができるとともに、支持筒１１の口筒部１２の支持孔１４で占めるストッパ軸２４の容積が小さくなってストッパ軸２４に関連する部品をコンパクトにまとめることができる。従って、コストを下げることができる。
【００２０】
＊  ストッパ軸２４がストッパ状態ＤＱにおいて各可動ロック球１９のうち一つの可動ロック球１９のみをロック解除状態ＳＱに保持するだけで、ロック操作筒１３をロック解除位置Ｑに保持するので、ストッパ軸２４に関連する部品をより一層コンパクトにまとめることができる。
【００２１】
＊  カッター２の挿嵌部６を支持筒１１の口筒部１２の支持孔１４に挿嵌する際、その挿嵌部６によりストッパ軸２４をストッパばね２３の弾性力に抗して押すだけで、ストッパ軸２４をストッパ状態ＤＱからストッパ解除状態ＵＰに移動させて可動ロック球１９をロック解除状態ＳＱからロック状態ＲＰにすることができる。その場合、ロック操作筒１３はロック解除位置Ｑからロック位置Ｐへロックばね１６の弾性力により自動的に戻る。従って、カッター取付具１に対しカッター２を容易に取り付けることができる。
【００２２】
＊  可動ロック球１９のロック状態ＲＰでロック操作筒１３をロック位置Ｐからロック解除位置Ｑへロックばね１６の弾性力に抗して回動操作するだけで、ストッパ軸２４がストッパ解除状態ＵＰからストッパ状態ＤＱへストッパばね２３の弾性力により移動してカッター２の挿嵌部６を支持筒１１の口筒部１２の支持孔１４から抜くように働くとともに、可動ロック球１９をロック状態ＲＰからロック解除状態ＳＱにしてストッパ軸２４により保持することができる。従って、カッター取付具１に対しカッター２を容易に取り外すことができる。
【００２３】
前記実施形態以外にも下記のように構成してもよい。
・  前記実施形態では可動ロック球１９をカッター２の回転中心線２ａに対する周方向へ三個並設したが、そのほか一個または二個並設したり四個以上並設したりする。
【００２４】
・  前記実施形態ではカッター２の回転中心線２ａに対する周方向へ並設した三個の可動ロック球１９のうち、一つの可動ロック球１９のみをストッパ軸２４によりロック解除状態ＳＱに保持したが、そのほか複数の可動ロック球１９のうち一部（一以外）または全部をストッパ軸２４によりロック解除状態ＳＱに保持する。
【００２５】
・  ストッパばね２３やロックばね１６を省略する。
・  カッター２を環状カッター以外の穿孔カッター例えばドリルやリーマなどに変更する。
【図面の簡単な説明】
【００２６】
【図１】（ａ）は本実施形態にかかるカッター取付具からカッターを取り外した状態を示す正面図であり、（ｂ）は同じく正面側から見た断面図であり、（ｃ）はこのカッター取付具の横断面図であり、（ｄ）はこのカッターの横断面図である。
【図２】（ａ）は上記カッターを上記カッター取付具に取り付ける途中状態を正面側から見た部分断面図であり、（ｂ）は同じく横断面図である。
【図３】（ａ）は上記カッターを上記カッター取付具に取り付けた状態を正面側から見た部分断面図であり、（ｂ）は同じく横断面図である。
【図４】（ａ）は上記カッターを上記カッター取付具に取り付けた状態を示す正面図であり、（ｂ）は同じく正面側から見た断面図である。
【図５】（ａ）は上記カッターを上記カッター取付具から取り外す途中状態を正面側から見た部分断面図であり、（ｂ）は同じく横断面図である。
【符号の説明】
【００２７】
１…カッター取付具、２…カッター、２ａ…回転中心線、６…カッターの挿嵌部、８…挿嵌部の外周面、９…挿嵌部のロック凹部、１１…カッター取付具の支持筒、１３…カッター取付具のロック操作体としてのロック操作筒、１４…支持筒の支持孔、１２ａ…支持筒の外周面、１２ｂ…支持筒の支持孔の内周面、１５…ロック操作筒の案内孔、１５ａ…案内孔の内周面、１６…ロックばね、１７…ロック機構部、１８…支持筒の収容孔、１９…可動ロック体としての可動ロック球、２０…ロック操作筒の退避凹部、２１…ロック操作筒の退避規制面、２２…ストッパ孔、２３…ストッパばね、２４…ストッパ軸、Ｐ…ロック操作筒のロック位置、Ｑ…ロック操作筒のロック解除位置、ＲＰ…可動ロック球のロック状態、ＳＱ…可動ロック球のロック解除状態、ＵＰ…ストッパ解除状態、ＤＱ…ストッパ状態、Ｘ…ロック操作筒の回動方向。
【図１】
2008100328.tif 000003
【図２】
2008100328.tif 000004
【図３】
2008100328.tif 000005
【図４】
2008100328.tif 000006
【図５】
2008100328.tif 000007